(57)【特許請求の範囲】
【請求項１】
チャンネル毎の音楽及び音声情報を、複数の小エリアを含む放送エリアに対して放送型の複数のチャンネルで転送する無線基地局と、
上記音楽及び音声情報を受信し所望のチャンネルを選択して音楽及び音声情報を再生する無線端末と、
上記無線基地局がカバーする範囲内において複数のエリアを特定する位置情報を発信する位置情報発信手段と、
を備え、
前記無線端末は、上記位置情報を受信する受信手段と、該位置情報に対応する前記情報のチャンネルを選択するチャンネル選択手段と、を有することを特徴とする音楽配信システム。
【請求項２】
前記音楽及び音声情報はチャンネル切り換えタイミングをコントロールするためのチャンネル情報を含み、前記無線端末のチャンネル選択手段は上記チャンネル情報に応答して動作するように構成されたことを特徴とする請求項１記載の音楽配信システム。
【発明の詳細な説明】
【０００１】
【発明の属する技術分野】
本発明は、無線基地局と無線端末を用いて、１対ｎの放送型の音楽及び音声情報の配信を行う音楽配信システム、及び無線端末に関する。
【０００２】
【従来の技術】
現在、音楽ＣＤ販売店舗などでは所望のＣＤをＣＤプレーヤーにて再生してこのＣＤプレーヤーに接続されたヘッドホンで視聴するシステムが取り入れられている。このシステムでは演奏されるＣＤの種類が制限されていること、ＣＤプレーヤーとヘッドホンが１対１のため試聴できる人数も制限されること、複数の人数の試聴を可能とする場合設置する場所が必要になること等の問題もある。
【０００３】
また現在２．４ＧＨｚ帯を用いた無線伝送システムが実用化されている。ＩＥＥＥ８０２．１１無線ＬＡＮの規格を用いたもので最大１１Mbpsの転送速度での通信が可能となる。同じくBLUETOOTHという規格で最大２Mbpsの転送速度で通信ができる装置が製品化されようとしている。
【０００４】
現在、このような大容量のデータアクセスが可能な無線アクセスシステムが要求されており、ＩＥＥＥ８０２．１１（米国）、ＡＴＭフォーラム（米国）、ＥＴＳＩ−ＢＲＡＮ（欧州）、ＭＭＡＣ（日本）などにおいて検討されている。
【０００５】
ＭＭＡＣにおいて検討されている無線アクセスシステムについて観ると、５[GHz]、２５[GHz]の周波数帯を利用して、屋外２０[Mbps]以上（１ユーザー最大１０[Mbps]）、屋内１５６[Mbps]の情報伝送速度を目標としている。このうち、５[GHz]帯では、無線方式としてはＯＦＤＭ方式を利用し、２０[Mbps]以上の伝送速度を目標としている。
【０００６】
【発明が解決しようとする課題】
ＣＤを販売する店舗ではＣＤを試聴するにあたりＣＤを実際にＣＤプレーヤーで演奏しヘッドホンを用いて顧客に提供している。時には、複数の音楽ＣＤの中から顧客がその中のうち任意の１枚のＣＤを選択することができるようになっているものもあり、顧客はこのＣＤの試聴などを踏まえてＣＤの購入の判断を行う。
【０００７】
上記試聴用ＣＤプレーヤーではセットされるＣＤは１枚ないし数枚にとどまってしまう。このため、試聴者はこのＣＤプレーヤーにセットされているＣＤ以外は聴くことができず、試聴するＣＤや曲を制限されてしまう。
【０００８】
上記試聴用ＣＤプレーヤーではひとつのＣＤプレーヤーにセットできるＣＤが１枚ないし数枚である。そのため同じ曲を聴きたい視聴者が数人いた場合においても、現在、試聴用ＣＤプレーヤーを試聴している人が終了するまで次の人は試聴できず、試聴できる人数を制限してしまうことになる。
【０００９】
また、このシステムではＣＤプレーヤーとヘッドホンが１対１になっていてかつ信号は通常ケーブルでつながっているため試聴するための場所が必然的に必要になってきてしまい、この試聴用ＣＤプレーヤーを複数設置するにはかなり多くの場所を占有してしまうことになる。
【００１０】
本発明の目的は上述した従来の音楽配信システムの問題点を改良した音楽ＣＤ販売店舗等に好適な音楽配信装置を提供することにある。
【００１１】
【課題を解決するための手段】
上記目的を達成するため、本発明の音楽配信システムは、チャンネル毎の音楽及び音声情報を、複数の小エリアを含む放送エリアに対して放送型の複数のチャンネルで転送する無線基地局と、上記音楽及び音声情報を受信し所望のチャンネルを選択して音楽及び音声情報を再生する無線端末と、上記無線基地局がカバーする範囲内において複数のエリアを特定する位置情報を発信する位置情報発信手段と、を備え、前記無線端末は、上記位置情報を受信する受信手段と、該位置情報に対応する前記情報のチャンネルを選択するチャンネル選択手段と、を有することを要旨とする。
【００１２】
また本発明において、前記音楽及び音声情報はチャンネル切り換えタイミングをコントロールするためのチャンネル情報を含み、前記無線端末のチャンネル選択手段は上記チャンネル情報に応答して動作するように構成してもよい。
【００１４】
【発明の実施の形態】
図１は本発明の音楽配信装置の一実施例を示す。同図において、１は無線基地局、２は無線端末、３１〜３ｎは位置情報発信器である。
【００１５】
無線基地局１は放送型の複数のチャンネルで、音楽及び音声情報を発信する機能を有し、無線端末２は上記音楽及び音声情報を受信し所望のチャンネルを選択して音楽及び音声情報を再生する機能を有する。
【００１６】
位置情報発信器３１〜３ｎは無線基地局１がカバーする放送エリアＡ内において、複数の小エリアＡ１〜Ａｎを特定する位置情報を発信する。
【００１７】
無線端末２は、上記小エリアＡ１〜Ａｎの何れかにおいて、位置情報発信器３１〜３ｎの何れかから発信される位置情報に対応する前記情報のチャンネルを選択するチャンネル選択回路２ａを有する。
【００１８】
図２は無線基地局１の一構成例を示す。同図において、１ａは送信アンテナ、１ｂは送信機、１ｃはデータ圧縮回路、１ｄはメモリ、１ｅはデータベース、１ｆはコントローラ、１ｇは表示部、１ｈは各チャンネルプログラムである。
【００１９】
データベース１ｅは、ＣＤ、ＭＤ等の音楽、音声のソースでデータベース１ｅからの信号はメモリ１ｄに蓄積されてからデータ圧縮回路１ｃにより圧縮され送信機１ｂに送られる。送信機１ｂでは各チャンネルプログラム１ｈにより圧縮された信号は複数のチャンネルに多重化されて発信される。
【００２０】
無線端末２は、図３に示すように、チャンネル選択回路２ａにより受信された多重化情報の中から何らかの小エリアの位置情報発信器からの位置情報に応答してその小エリアに対応する情報を選択抽出し、一度バッファメモリ２ｂに蓄積した後に再生回路２ｃにより音楽及び音声情報を再生する。
【００２１】
前述したようにＣＤなどの音楽メディアの販売店などでは所望の音楽を試聴することができ、これをもとに購買者は購入を決定する場合もある。本発明の音楽配信装置はかかる試聴システムとして好適であり、図４に示すように、各視聴者４がヘッドホン５などで利用する無線端末２に向けて無線基地局１のアンテナ１ａから音楽及び音声情報を送信する。
【００２２】
このように無線基地局１により多重化されている情報を転送するため複数の視聴者４が同時に同一又は異なるジャンルの音楽を試聴することができ、しかも無線で情報を転送するために視聴者４は試聴する場合を自由に決め、また移動することができる。更にこの場合、位置情報発信器３ｉが特定するエリアＡｉでは、特定のジャンルの音楽を選択するようにすれば、各エリアを移動することで、種々のジャンルの音楽を自動的に試聴することができる。勿論、この場合でも視聴者４は、自動的にチャンネルを選択するのではなく、無線端末２の手動チャンネル選択回路２ｄにより他の所望するチャンネルを選択できるように構成してもよい。
【００２３】
また無線基地局１が配信する情報には図５に示すように音楽及び音声のみのデータＤ１だけでなく、このチャンネルを切り換えるタイミングをコントロールするための各チャンネル情報を有するデータ領域Ｄ２を設けてもよい。この場合、無線端末２はこのデータ領域Ｄ２にある情報から先のチャンネルが適切な切り換えタイミング、即ち、音楽情報であれば切り換え先の曲が終了した時点の情報を受けてから切り換え先チャンネルに切り換える機能を備えているものとする。特に、この時に、図６に示すようにチャンネル切り換え時にフェードアウト等の処理を入れることにより視聴者４は自然な曲の切り換えをした音楽を聴くことができる。
【００２４】
【発明の効果】
以上説明したように本発明によれば、ＣＤの販売店等の試聴システム等として好適であり、従来のシステムの問題点を全て解決できる。また音楽情報だけでなく、音声情報として種々のデータ、例えば、曲の解説等を挿入することができ、大変便利である。
【図面の簡単な説明】
【図１】本発明の一実施例を示すブロック図である。
【図２】無線基地局の一構成例を示すブロック図である。
【図３】無線端末の一構成例を示すブロック図である。
【図４】本発明を適用した試聴システムの概念図である。
【図５】音楽及び音声情報のフレーム構成の一例を示す図である。
【図６】チャンネル切り換え時のフェードアウトの説明図である。
【符号の説明】
１  無線基地局
２  無線端末
３  位置情報発信器
４  試聴者
【図１】
0004703858.tif 000002
【図２】
0004703858.tif 000003
【図３】
0004703858.tif 000004
【図４】
0004703858.tif 000005
【図５】
0004703858.tif 000006
【図６】
0004703858.tif 000007